(57)【要約】      （修正有）【課題】インクリボンのインク抜け部分から、印字されたＩＤ情報が特定されるのをより確実に防ぐことができる熱転写システムを提供する。【解決手段】熱転写システムにおいて、第２加熱体２２は、インクリボン１３のインク層１２のインクが第１の文字パターンと少なくとも一部が異なる文字のパターンで構成された第２の文字パターンで当該インクリボンの内側に位置するインクリボンの支持層１１に転写されるよう、インクリボンを加熱するものであり、制御部は、インク転写済みのインクリボンの支持層の領域において、第１の文字パターンがインク転写済みの第１の領域の少なくとも一部と、第２の文字パターンが転写される第２の領域の少なくとも一部とが重なるように、第２加熱体を制御する。【選択図】図１
2017061110.tif 000002
【特許請求の範囲】
【請求項１】
支持層とインク層とを有するインクリボンを用いて被転写体にインクを転写する熱転写システムにおいて、
前記インクリボンを送り出す送出部と、
前記送出部の下流側に配置され、前記インクリボンの支持層側に設けられた第１加熱体を有し、前記インクリボンのインク層のインクを前記被転写体に対して文字のパターンで構成された第１の文字パターンで転写する第１転写装置と、
前記第１転写装置の下流側に配置され、インク転写済の前記インクリボンを巻き取る巻取部と、
前記巻取部の近傍に設けられ、前記巻取部に巻き取られたインク転写済の前記インクリボンに支持層側から当接して前記インクリボンを支持層側から加熱する第２加熱体と、
少なくとも前記第２加熱体を制御する制御部と、を備え、
前記第２加熱体は、インクリボンのインク層のインクが前記第１の文字パターンと少なくとも一部が異なる文字のパターンで構成された第２の文字パターンで当該インクリボンの内側に位置するインクリボンの支持層に転写されるよう、前記インクリボンを加熱するものであり、
前記制御部は、インク転写済みのインクリボンの支持層の領域において、前記第１の文字パターンがインク転写済みの第１の領域の少なくとも一部と、前記第２の文字パターンが転写される第２の領域の少なくとも一部とが重なるように、前記第２加熱体を制御する
ことを特徴とする熱転写システム。
【請求項２】
前記制御部は、
前記巻取部により巻き取られた前記インクリボンの長さに関連する情報に基づいて、前記第１の領域と前記第２の領域との位置関係を予測して、前記第１の領域の少なくとも一部と、前記第２の領域の少なくとも一部とが重なるように、前記第２加熱体を制御する
ことを特徴とする請求項１に記載の熱転写システム。
【請求項３】
前記制御部は、
前記巻取部が前記インクリボンを巻き取るステップの数に関連する情報に基づいて、前記第１の領域と前記第２の領域との位置関係を予測して、前記第１の領域の少なくとも一部と、前記第２の領域の少なくとも一部とが重なるように、前記第２加熱体を制御する
ことを特徴とする請求項１に記載の熱転写システム。
【請求項４】
前記第１の文字パターンは、複数の文字パターンが並んだ文字列パターンであり、
前記第２の文字パターンは、前記第１の文字パターンを構成する文字パターンの数と同数の文字パターンが並んだ文字列パターンである
ことを特徴とする請求項１に記載の熱転写システム。
【請求項５】
前記制御部は、
前記第１の文字パターンに対応する第１の文字データの一部に対して、少なくとも一部が一致する第２の文字データを生成し、
生成した前記第２文字データに対応する前記第２の文字パターンが転写されるように、前記第２加熱体を制御する
ことを特徴とする請求項１に記載の熱転写システム。
【請求項６】
前記制御部は、
前記第１の文字パターンに対応する第１の文字データと関連付けられた第２の文字データを記憶し、
記憶していた前記第２文字データに対応する前記第２の文字パターンが転写されるように、前記第２加熱体を制御する
ことを特徴とする請求項１に記載の熱転写システム。
【請求項７】
前記制御部は、前記第１の文字列が転写された前記第１の領域と、前記第２の文字列が転写された第２の領域と、が一致するように、前記第２加熱体を制御する
ことを特徴とする請求項２に記載の熱転写システム。
【請求項８】
前記第１の文字データは、住所、氏名、年月日、ＩＤ番号、又は電話番号のデータの何れかであることを特徴とする請求項６に記載の熱転写システム。
【請求項９】
支持層とインク層とを有するインクリボンであって、インク層のインクが被転写体に対して文字のパターンで構成された第１の文字パターンで転写されたインク転写済のインクリボンを巻き取る巻取装置において、
前記第１の文字パターンが転写済の前記インクリボンを巻き取る巻取部と、
前記巻取部の近傍に設けられ、前記巻取部に巻き取られたインク転写済の前記インクリボンに支持層側から当接して前記インクリボンを支持層側から加熱する巻取側加熱体と、を備え、
前記巻取側加熱体は、インクリボンのインク層のインクが前記第１の文字パターンと少なくとも一部が異なる文字のパターンで構成された第２の文字パターンで当該インクリボンの内側に位置するインクリボンの支持層に転写されるよう、前記インクリボンを加熱するものであり、
インク転写済みのインクリボンの支持層の領域において、前記第１の文字パターンがインク転写済みの第１の領域の少なくとも一部と、前記第２の文字パターンが転写される第２の領域の少なくとも一部とが重なるように、前記巻取側加熱体を制御する
ことを特徴とする巻取装置。
【請求項１０】
支持層とインク層とを有するインクリボンを用いて被転写体にインクを転写する熱転写方法において、
前記インクリボンを送り出す工程と、
前記インクリボンのインク層のインクを前記被転写体に対して文字のパターンで構成された第１の文字パターンで転写する第１転写工程と、
インク転写済の前記インクリボンを巻取部によって巻き取る工程と、
前記巻取部に巻き取られたインク転写済の前記インクリボンに支持層側から巻取側加熱体を当接させ、前記巻取側加熱体によって前記インクリボンを支持層側から加熱する第２転写工程と、を備え、
前記第２転写工程において、
前記巻取側加熱体は、インクリボンのインク層のインクが前記第１の文字パターンと少なくとも一部が異なる文字のパターンで構成された第２の文字パターンで当該インクリボンの内側に位置するインクリボンの支持層に転写されるよう、前記インクリボンを加熱するものであり、
インク転写済みのインクリボンの支持層の領域において、前記第１の文字パターンがインク転写済みの第１の領域の少なくとも一部と、前記第２の文字パターンが転写される第２の領域の少なくとも一部とが重なるように、前記巻取側加熱体を制御する
ことを特徴とする熱転写方法。
【発明の詳細な説明】
【技術分野】
【０００１】
本発明は、支持層とインク層とを有するインクリボンを用いて被転写体にインクを転写する熱転写システムおよび熱転写方法に関する。また本発明は、インク転写済のインクリボンを巻き取る巻取装置に関する。
【背景技術】
【０００２】
インクリボンを用いて、カードなどの被転写体に文字などの像を印字する転写システムが、広く普及している。インクリボンは、帯状に延びるリボン（支持層）と、リボン上に形成され、染料等を含んだインク層と、を有している。インクリボンを用いた印字においては、印字されるべき所望の像に対応したパターンで、インクが被転写体に転写される。
【０００３】
この場合、インク転写済のインクリボンには、被転写体への転写によりインクが抜けた部分が、印字された像に対応したパターンで存在している。
【０００４】
このため、インク転写済のインクリボンから、印字された像を特定することが可能である。
【０００５】
従って、インクリボンを用いて、被転写体にＩＤ情報などの秘匿すべき情報を印字する場合、インク転写済のインクリボンの取り扱いに注意が必要となる。
【０００６】
このような問題に対応するため、例えば特許文献に記載の熱転写システムは、インクリボンを送り出す送出部と、送出部の下流側に配置された第１加熱体を有し、インクリボンのインク層のインクを被転写体に対して第１パターン（ＩＤ情報を含む文字パターン）で転写する第１転写装置と、インク転写済のインクリボンを巻き取る巻取部と、巻取部の近傍に設けられ、巻取部に巻き取られたインク転写済のインクリボンに支持層側から当接してインクリボンを支持層側から加熱する第２加熱体と、を備える。
【０００７】
そして、上記熱転写システムの第２加熱体は、インクリボンのインク層のインクが第１パターンと異なる第２パターンで当該インクリボンの内側に位置するインクリボンの支持層に転写されるよう、インクリボンを加熱する。
【０００８】
この特許文献１に記載の熱転写システムにより、インク転写済のインクリボンから、第１転写装置における第１パターンが特定されにくくすることができる。
【先行技術文献】
【特許文献】
【０００９】
【特許文献１】特開２０１３−１１１８６６号公報
【発明の概要】
【発明が解決しようとする課題】
【００１０】
上述の特許文献１に記載の熱転写システムにおいて、第２加熱体の各発熱区画の加熱パターンに基づく第２パターンを有するインク抜け部分が形成される。この第２パターンは、例えば、複数のライン状の幾何学的な形状を有する。インク転写済のインクリボンの第１パターン（ＩＤ情報を含む文字パターン）に、このような幾何学的な形状のパターンが重っても、第１パターンを構成する文字を人間の視覚により特定することが可能である場合がある。
【００１１】
したがって、例えば、各自治体で発行されているカードの場合、住所欄付近の文字が１文字でも特定できれば、ある程度、住所、氏名等のＩＤ情報が特定できてしまう問題があった。
【００１２】
本発明は、このような課題を効果的に解決し得る熱転写システムおよび熱転写方法、並びに巻取装置および巻取方法を提供することを目的とする。
【課題を解決するための手段】
【００１３】
本発明の一態様に係る熱転写システムは、
支持層とインク層とを有するインクリボンを用いて被転写体にインクを転写する熱転写システムであって、
前記インクリボンを送り出す送出部と、
前記送出部の下流側に配置され、前記インクリボンの支持層側に設けられた第１加熱体を有し、前記インクリボンのインク層のインクを前記被転写体に対して文字のパターンで構成された第１の文字パターンで転写する第１転写装置と、
前記第１転写装置の下流側に配置され、インク転写済の前記インクリボンを巻き取る巻取部と、
前記巻取部の近傍に設けられ、前記巻取部に巻き取られたインク転写済の前記インクリボンに支持層側から当接して前記インクリボンを支持層側から加熱する第２加熱体と、
少なくとも前記第２加熱体を制御する制御部と、を備え、
前記第２加熱体は、インクリボンのインク層のインクが前記第１の文字パターンと少なくとも一部が異なる文字のパターンで構成された第２の文字パターンで当該インクリボンの内側に位置するインクリボンの支持層に転写されるよう、前記インクリボンを加熱するものであり、
前記制御部は、インク転写済みのインクリボンの支持層の領域において、前記第１の文字パターンがインク転写済みの第１の領域の少なくとも一部と、前記第２の文字パターンが転写される第２の領域の少なくとも一部とが重なるように、前記第２加熱体を制御する
ことを特徴とする。
【００１４】
前記熱転写システムにおいて、
前記制御部は、
前記巻取部により巻き取られた前記インクリボンの長さに関連する情報に基づいて、前記第１の領域と前記第２の領域との位置関係を予測して、前記第１の領域の少なくとも一部と、前記第２の領域の少なくとも一部とが重なるように、前記第２加熱体を制御する
ことを特徴とする。
【００１５】
前記熱転写システムにおいて、
前記制御部は、
前記巻取部が前記インクリボンを巻き取るステップの数に関連する情報に基づいて、前記第１の領域と前記第２の領域との位置関係を予測して、前記第１の領域の少なくとも一部と、前記第２の領域の少なくとも一部とが重なるように、前記第２加熱体を制御する
ことを特徴とする。
【００１６】
前記熱転写システムにおいて、
前記第１の文字パターンは、複数の文字パターンが並んだ文字列パターンであり、
前記第２の文字パターンは、前記第１の文字パターンを構成する文字パターンの数と同数の文字パターンが並んだ文字列パターンである
ことを特徴とする。
【００１７】
前記熱転写システムにおいて、
前記制御部は、
前記第１の文字パターンに対応する第１の文字データの一部に対して、少なくとも一部が一致する第２の文字データを生成し、
生成した前記第２文字データに対応する前記第２の文字パターンが転写されるように、前記第２加熱体を制御する
ことを特徴とする。
【００１８】
前記熱転写システムにおいて、
前記制御部は、
前記第１の文字パターンに対応する第１の文字データと関連付けられた第２の文字データを記憶し、
記憶していた前記第２文字データに対応する前記第２の文字パターンが転写されるように、前記第２加熱体を制御する
ことを特徴とする。
【００１９】
前記熱転写システムにおいて、
前記制御部は、前記第１の文字列が転写された前記第１の領域と、前記第２の文字列が転写された第２の領域と、が一致するように、前記第２加熱体を制御する
ことを特徴とする。
【００２０】
前記熱転写システムにおいて、
前記第１の文字データは、住所、氏名、年月日、ＩＤ番号、又は電話番号のデータの何れかであることを特徴とする。
【００２１】
本発明の一態様に係る巻取装置は、
支持層とインク層とを有するインクリボンであって、インク層のインクが被転写体に対して文字のパターンで構成された第１の文字パターンで転写されたインク転写済のインクリボンを巻き取る巻取装置であって、
前記第１の文字パターンが転写済の前記インクリボンを巻き取る巻取部と、
前記巻取部の近傍に設けられ、前記巻取部に巻き取られたインク転写済の前記インクリボンに支持層側から当接して前記インクリボンを支持層側から加熱する巻取側加熱体と、を備え、
前記巻取側加熱体は、インクリボンのインク層のインクが前記第１の文字パターンと少なくとも一部が異なる文字のパターンで構成された第２の文字パターンで当該インクリボンの内側に位置するインクリボンの支持層に転写されるよう、前記インクリボンを加熱するものであり、
インク転写済みのインクリボンの支持層の領域において、前記第１の文字パターンがインク転写済みの第１の領域の少なくとも一部と、前記第２の文字パターンが転写される第２の領域の少なくとも一部とが重なるように、前記巻取側加熱体を制御する
ことを特徴とする。
【００２２】
本発明の一態様に係る熱転写方法は、
支持層とインク層とを有するインクリボンを用いて被転写体にインクを転写する熱転写方法であって、
前記インクリボンを送り出す工程と、
前記インクリボンのインク層のインクを前記被転写体に対して文字のパターンで構成された第１の文字パターンで転写する第１転写工程と、
インク転写済の前記インクリボンを巻取部によって巻き取る工程と、
前記巻取部に巻き取られたインク転写済の前記インクリボンに支持層側から巻取側加熱体を当接させ、前記巻取側加熱体によって前記インクリボンを支持層側から加熱する第２転写工程と、を備え、
前記第２転写工程において、
前記巻取側加熱体は、インクリボンのインク層のインクが前記第１の文字パターンと少なくとも一部が異なる文字のパターンで構成された第２の文字パターンで当該インクリボンの内側に位置するインクリボンの支持層に転写されるよう、前記インクリボンを加熱するものであり、
インク転写済みのインクリボンの支持層の領域において、前記第１の文字パターンがインク転写済みの第１の領域の少なくとも一部と、前記第２の文字パターンが転写される第２の領域の少なくとも一部とが重なるように、前記巻取側加熱体を制御する
ことを特徴とする。
【発明の効果】
【００２３】
本発明によれば、インク転写済みのインクリボンの支持層の領域において、第１の文字パターンがインク転写済みの第１の領域の少なくとも一部と、第２の文字パターンが転写される第２の領域の少なくとも一部とが重なるように制御される。
【００２４】
これにより、住所、氏名等のＩＤ情報に似たような内容の文字パターンが、インク転写済みのインクリボンに複数存在することになる。
【００２５】
このことにより、インクリボンのインク抜け部分から、印字されたＩＤ情報が特定されるのをより確実に防ぐことができる。
【図面の簡単な説明】
【００２６】
【図１】図１は、本発明の第１の実施の形態における熱転写システムを示す図である。
【図２】図２（ａ）は、本発明の実施の形態において、インク転写済のインクリボンを示す図、図２（ｂ）は、本発明の実施の形態において、インクリボンのインクが第１パターンで転写された被転写体を示す図である。
【図３】図３は、図２（ａ）に示すインク転写済のインクリボンのIII−III線に沿った断面図である。
【図４】図４は、図１の熱転写システムの巻取装置を拡大して示す図である。
【図５】図５は、図４に示す巻取装置の第２加熱体を示す斜視図である。
【図６】図６は、図４に示す第２加熱体２３およびインクリボン１３の断面図である。
【図７】図７は、インクが被転写体に第１の文字パターンで転写された後のインクリボンをインク層側から見た場合を示す図である。
【図８】図８は、本発明の第１の実施の形態において、外側インクリボンのインク層のインクが、内側インクリボンの支持層に第２パターンで転写される様子を示す図である。
【図９】図９は、第２の文字パターン２６の配置の一例を示すイメージ図である。
【図１０】図１０は、第２加熱体２２による転写が行われた後の外側インクリボン１３Ａをインク層１２側から見た場合を示す図である。
【発明を実施するための形態】
【００２７】
第１の実施の形態
以下、図１乃至図１０を参照して、本発明の第１の実施の形態について説明する。はじめに図１を参照して、熱転写システム１０の全体構造について説明する。
【００２８】
熱転写システム
図１に示すように、支持層１１とインク層１２とを有するインクリボン１３を用いて被転写体１４に所望パターンでインク１２ａを転写する熱転写システム１０は、矢印Ｒ１で示す方向にインクリボン１３を送り出す送出部１６と、送出部１６の下流側に配置された第１転写装置１７と、第１転写装置１７の下流側に配置され、矢印Ｒ２で示す方向にインク転写済のインクリボン１３を巻き取る巻取部２１と、巻取部２１の近傍に設けられた第２加熱体２２と、送出部１６、第１転写装置１７、及び第２加熱体２２を制御する制御部ＣＯＮと、を備えている。
【００２９】
また、図１に示すように、インクリボン１３は、複数のガイドロール１５に沿って搬送される。ここで、図１に示す巻取部２１と第２加熱体２２とにより、巻取装置２０が構成されている。
【００３０】
また、図１に示すように、第１転写装置１７は、被転写体１４を支持するプラテンロール１９と、インクリボン１３および被転写体１４を挟んでプラテンロール１９と対向するよう設けられた第１加熱体１８、例えば印字ヘッドと、を有している。
【００３１】
そして、図１に示すように、第１加熱体１８は、インクリボン１３の支持層１１側に設けられている。この第１加熱体１８により、インクリボン１３のインク層１２のインク１２ａがＩＤ情報に対応する所定の文字パターン（第１の文字パターン）で加熱され、これによって、インクリボン１３のインク層１２のインク１２ａが被転写体１４に対して文字のパターンで構成された第１の文字パターンで転写される。
【００３２】
なお、第１の文字パターンは、複数の文字パターンが並んだ文字列の文字列パターンである。この第１の文字パターンに対応する第１の文字データは、例えば、住所、氏名、発行日や有効期限等の年月日、ＩＤ番号、又は電話番号等のデータの何れかのＩＤ情報である。
【００３３】
ここで、図２（ａ）は、インク１２ａが被転写体１４に第１の文字パターンで転写された後のインクリボン１３をインク層１２側から見た場合を示す図であり、図２（ｂ）は、インクリボン１３のインク１２ａが第１の文字パターンで転写された被転写体１４を示す図である。図３は、図２（ａ）に示すインク転写済のインクリボン１３のIII−III線に沿った断面図である。
【００３４】
図２（ａ）および図３に示すように、インク転写済のインクリボン１３において、インク層１２は、被転写体１４に転写されずに残留しているインク１２ａと、被転写体１４に印字されたＩＤ情報に対応するインク抜け部分１２ｂとからなる。この場合、図２（ａ）に示すように、インク転写済のインクリボン１３におけるインク抜け部分１２ｂの文字パターンは、上述の第１加熱体１８における第１の文字パターンに対応している。
【００３５】
このため、インク抜け部分１２ｂの文字パターンに基づいて、被転写体１４に印字された既述のＩＤ情報を特定することが可能となっている。  
巻取装置
次に図４を参照して、熱転写システム１０の巻取装置２０について詳細に説明する。巻取装置２０は、インク転写済のインクリボン１３を巻き取るロール状の巻取部２１と、巻取部２０の近傍に設けられ、巻取部２１に巻き取られたインク転写済のインクリボン１３に支持層１１側から当接してインクリボン１３を支持層１１側から加熱する第２加熱体（巻取側加熱体）２２と、を有している。
【００３６】
（巻取部）
図４に示すように、本実施の形態の巻取部２１においては、インクリボン１３の支持層１１がインク層１２よりも外側に位置するようインクリボン１３が巻き取られる。なお図４に示すように、本実施の形態において、巻取部２１に巻き取られているインクリボン１３のうち最外周に位置するインクリボン１３が外側インクリボン１３Ａと称され、外側インクリボン１３Ａよりも内側で巻取部２１に巻き取られ、外側インクリボン１３Ａに隣接しているインクリボン１３が内側インクリボン１３Ｂと称される。
【００３７】
（第２加熱体）
図４に示すように、第２加熱体２２は、基板２３と、基板２３の端面２３ａに設けられた発熱体２４と、を有している。また図４に示すように、発熱体２４に電流を流して発熱体２４を発熱させるための駆動部２５がさらに設けられていてもよい。以下、このような第２加熱体２２の構造について、図５を参照して詳細に説明する。
【００３８】
図５は、第２加熱体２２を示す斜視図である。なお図５においては、説明の都合上、第２加熱体２２の駆動部２５が省略されている。
【００３９】
図５に示すように、第２加熱体２２は、第２加熱体２２の長手方向Ｐ１に平行に延びる基板２３と、基板２３の端面２３ａに設けられ、巻取部２１に巻き取られたインク転写済のインクリボン１３を加熱する発熱体２４と、を有している。
【００４０】
発熱体２４は、図示はしないが、第２加熱体２２の長手方向Ｐ１に平行に並べられた複数の発熱区画を含んでいる。各発熱区画は、上述の駆動部２５によって各々独立に駆動され得るよう構成されている。
【００４１】
ここで、各発熱区画の寸法および各発熱区画間の間隔は、後述する第２の文字パターンに求められる解像度に応じて適宜設定されている。このように第２加熱体２２は、一般に端面ヘッドと称されるサーマルヘッドから構成されている。好ましくは、発熱体２４は、基板２３の長手方向の略全域にわたって延びている。
【００４２】
好ましくは、図５に示すように、第２加熱体２２の基板２３の端面２３ａの角部２３ｂは、丸みを有するよう構成されている。基板２３の端面２３ａの角部２３ｂに丸みを帯びさせることにより、第２加熱体２２をインクリボン１３に当接させる際、巻取部２１に巻き取られたインクリボン１３が第２加熱体２２によって損傷されたり、第２加熱体２２がインクリボン１３に引っかかってしまったりすることを防ぐことができる。
【００４３】
この第２加熱体２２は、例えば印字ヘッドであり、インクリボン１３のインク層のインクが第１の文字パターンと少なくとも一部が異なる文字のパターンで構成された第２の文字パターンで当該インクリボン１３の内側に位置するインクリボン１３の支持層に転写されるよう、インクリボン１３を加熱するようになっている。
【００４４】
ここで、第２の文字パターンは、複数の文字パターンが並んだ文字列の文字列パターンである。この第２の文字パターンに対応する第２の文字データは、例えば、実在しない、住所、氏名、発行日や有効期限等の年月日、ＩＤ番号、又は電話番号等のデータである。
【００４５】
また、第２の文字パターンは、例えば、第１の文字パターンを構成する文字パターンの数と同数の文字パターンが並んだ文字列パターンである。なお、第１の文字パターンを構成する文字パターンの数と、第２の文字パターンを構成する文字パターンの数とは、異なっていてもよい。
【００４６】
次に、図６を参照して、巻取部２１に巻き取られたインク転写済のインクリボン１３に第２加熱体２２が当接する際の様子について説明する。
【００４７】
図６は、図４に示す第２加熱体２３およびインクリボン１３の断面図である。なお、巻取部２１にインクリボン１３が巻き取られる際、巻き取られたインクリボン１３は、実際には巻取部２１のロール面に沿って湾曲するが、図６においては、便宜上、湾曲状態を無視してインクリボン１３が描かれている。
【００４８】
また、図６においては、外側インクリボン１３Ａが第２加熱体２２により押圧されて外側インクリボン１３Ａのインク層１２の一部のインク１２ａが内側インクリボン１３Ｂの支持層１１に押し付けられる様子を説明するため、便宜上、外側インクリボン１３Ａと内側インクリボン１３Ｂとの間に若干の隙間が描かれている。しかしながら、これに限られることはなく、外側インクリボン１３Ａと内側インクリボン１３Ｂとが全面にわたって隙間無く接していてもよい。
【００４９】
この図６に示すように、外側インクリボン１３Ａが第２加熱体２２の基板２３の端面２３ａおよび発熱体２４の発熱区画（図示せず）によって外側（支持層１１側）から押圧および加熱されると、外側インクリボン１３Ａのインク層１２に残留しているインク１２ａの一部が、既述の第２の文字パターンで、内側インクリボン１３Ｂの支持層１１上に転写される。
【００５０】
なお、発熱体２４の温度は、外側インクリボン１３Ａのインク層１２のインク１２ａが全域にわたって溶融され、これによって外側インクリボン１３Ａと内側インクリボン１３Ｂとが接着されるという現象が生じない程度に、低く設定されている。
【００５１】
ここで、既述のように、第２加熱体２２における第２の文字パターンは、第１加熱体１８における第１の文字パターンとは少なくとも一部が異なるよう設定されている。具体的には、第２加熱体２２の発熱体２４の各発熱区画のうち加熱される発熱区画の文字パターンが、第１加熱体１８における加熱パターン（文字パターン）とは異なるよう選択されている。
【００５２】
このため、外側インクリボン１３Ａのインク層１２に残留しているインク１２ａの一部を内側インクリボン１３Ｂの支持層１１上に第１の文字パターンと少なくとも一部が異なる文字のパターンで構成された第２の文字パターンで転写することにより、外側インクリボン１３Ａのインク層１２における、ＩＤ情報に対応する第１の文字パターンからなるインク抜け部分１２ｂの文字パターンに別の文字パターン（第２の文字パターン）が重なることとなる。したがって、外側インクリボン１３Ａのインク層１２において、何れの文字パターンが被転写体１４に印字されたＩＤ情報に対応するかを特定することが困難になる。
【００５３】
このことにより、インク抜け部分１２ｂの文字パターンに基づいて被転写体１４に印字されたＩＤ情報が特定されるのをより確実に防ぐことができる。
【００５４】
なお、巻取部２１においては、巻き取りが進むにつれて、巻取部２１により巻き取られているインクリボン１３により構成されるロール体の外径が増加していく。このようなロール体の外径の増加に対応するため、第２加熱体２２は、第２加熱体２２と巻取部２１との間の間隔を調整することができる支持機構（図示せず）により移動可能に支持されていてもよい。
【００５５】
また、このような支持機構によって第２加熱体２２を支持することにより、巻取り駆動が停止されている場合や、第２加熱体２２による加熱が不要な場合に、第２加熱体２２を巻取部２１から遠ざけて、巻取部２１に巻き取られているインクリボン１３との接触を任意に中止することが可能となる。
【００５６】
制御部
既述のように、制御部ＣＯＮは、送出部１６、第１転写装置１７、及び第２加熱体２２を制御する。
【００５７】
制御部ＣＯＮは、インク転写済みのインクリボン１３の支持層の領域において、第１の文字パターンがインク転写済みの第１の領域の少なくとも一部と、第２の文字パターンが転写される第２の領域の少なくとも一部とが重なるように、第２加熱体２２を制御するようになっている。
【００５８】
例えば、制御部ＣＯＮは、巻取部２１により巻き取られたインクリボン１３の長さに関連する情報に基づいて、第１の領域と第２の領域との位置関係を予測して、第１の領域の少なくとも一部と、第２の領域の少なくとも一部とが重なるように、第２加熱体２２を制御する。
【００５９】
ここで、巻取部２１により巻き取られたインクリボン１３の長さに関連する情報は、例えば、第１の文字パターンが転写されたときから、インクリボン１３の当該第１の文字パターンの第１の領域の少なくとも一部に第２加熱体２２が第２の文字パターンの一部が重複するように転写可能な状態に位置するときまでに、巻き取られるインクリボン１３の巻取長である。
【００６０】
この場合、第１の文字パターンが転写されたときから、上記巻取長だけインクリボン１３を巻き取ったとき、インクリボン１３の当該第１の文字パターンの第１の領域の少なくとも一部に第２加熱体２２が第２の文字パターンの一部が重複するように転写可能な状態に位置する。
【００６１】
なお、制御部ＣＯＮは、巻取部２１がインクリボン１３を巻き取るステップの数（第１の文字パターンの転写の回数や、巻取部の回転の数、角度等）に関連する情報に基づいて、第１の領域と第２の領域との位置関係を予測して、第１の領域の少なくとも一部と、第２の領域の少なくとも一部とが重なるように、第２加熱体２２を制御するようにしてもよい。
【００６２】
この場合、第１の文字パターンが転写されたときから、上記ステップの数だけインクリボン１３を巻き取ったとき、インクリボン１３の当該第１の文字パターンの第１の領域の少なくとも一部に第２加熱体２２が第２の文字パターンの一部が重複するように転写可能な状態に位置する。
【００６３】
なお、制御部ＣＯＮは、例えば、第１の文字列が転写された第１の領域と、第２の文字列が転写された第２の領域と、が一致するように、第２加熱体２２を制御するようにしてもよい。
【００６４】
また、この制御部ＣＯＮは、例えば、第１の文字パターンに対応する第１の文字データの一部に対して、少なくとも一部が一致する第２の文字データを生成し、そして、生成した第２文字データに対応する第２の文字パターンが転写されるように、第２加熱体２２を制御するようにしてもよい。
【００６５】
ここで、第１の文字データの一部は、例えば、漢字の部首である。例えば、第１の文字データの文字の１つが“渋”の場合、一致する部分は、“さんずい”としたとき、選択される第２の文字データの文字は、例えば、“河”、“海”等になる。
【００６６】
また、第１の文字データが氏名の文字列“鈴木一郎”である場合、第２の文字データの一部に一致する第１の文字データの一部は、例えば、文字列を構成する２つの文字“鈴”、“郎”であってもよい。この場合、第２の文字データの文字は、例えば、“鈴本二郎”等になる。
【００６７】
なお、制御部ＣＯＮは、例えば、第１の文字パターンに対応する第１の文字データと関連付けられた第２の文字データを予め記憶し、この記憶していた第２文字データに対応する第２の文字パターンが転写されるように、第２加熱体２２を制御するようにしてもよい。
【００６８】
次に、以上のような構成からなる本実施の形態の作用について説明する。
【００６９】
ここでは、熱転写システム１０の第１転写装置１７により被転写体１４にＩＤ情報が印字され、その後、インク転写済の外側インクリボン１３Ａのインク層１２のインク１２ａが、第２加熱体２２により第２の文字パターンで内側インクリボン１３Ｂの支持層１１上に転写される作用について説明する。
【００７０】
まず被転写体１４を準備し、次に、被転写体１４を第１転写装置１７に向けて搬送する。一方、図１に示すように、インクリボン１３を、送出部１６から第１転写装置１７に向けて送り出す。
【００７１】
被転写体１４が第１転写装置１７の第１加熱体１８とプラテンロール１９との間に到達すると、第１加熱体１８がインクリボン１３を、ＩＤ情報に対応する第１の文字パターンで加熱しながら被転写体１４に対して押し付ける。これによって、インクリボン１３のインク層１２のインク１２ａが第１の文字パターンで被転写体１４上に転写される（第１転写工程）。このことにより、被転写体１４上にＩＤ情報が印字されるとともに、インクリボン１３のインク層１２に、ＩＤ情報に対応したインク抜け部分１２ｂが形成される。
【００７２】
ここで図７は、インク１２ａが被転写体１４に第１の文字パターンで転写された後のインクリボン１３をインク層１２側から見た場合を示す図である。
【００７３】
図７に示すように、インク転写済のインクリボン１３において、インク層１２は、被転写体１４に転写されずに残留しているインク１２ａと、被転写体１４に印字されたＩＤ情報に対応するインク抜け部分１２ｂとからなる。この場合、図７に示すように、インク転写済のインクリボン１３におけるインク抜け部分（第１の領域）１２ｂの文字パターンは、上述の第１加熱体１８における第１の文字パターンに対応している。
【００７４】
このため、この第１転写工程が完了した段階では、インク抜け部分（第１の領域）１２ｂの文字パターンに基づいて、被転写体１４に印字された既述のＩＤ情報を特定することが可能となっている。  
そして、上記第１転写工程の後、第１転写装置１７を経た後のインク転写済のインクリボン１３は、巻取装置２０の巻取部２１により巻き取られる。そして、巻取部２１によってインク転写済のインクリボン１３が巻き取られている状態において、第２加熱体２２により、外側インクリボン１３Ａが第２の文字パターンで加熱される（第２転写工程）。
【００７５】
以下、図８（ａ）（ｂ）、図９および  図１０を参照して、外側インクリボン１３Ａが第２加熱体２２により第２の文字パターンで加熱される作用について詳細に説明する。
【００７６】
はじめに、図８（ａ）（ｂ）は、本発明の第１の実施の形態において、外側インクリボンのインク層のインクが、内側インクリボンの支持層に第２パターンで転写される様子を示す図である。
【００７７】
図８（ａ）に示すように、外側（支持層１１側）から第２加熱体２２を外側インクリボン１３Ａに当接させる。この際、外側インクリボン１３Ａを第２加熱体２２の発熱区画によって外側から加熱する。
【００７８】
このため、外側インクリボン１３Ａのインク層１２に残留しているインク１２ａの一部が、内側インクリボン１３Ｂの支持層１１上に対して、加熱されながら押し付けられる。
【００７９】
これによって、図８（ｂ）において符号１２ｃにより示すように、外側インクリボン１３Ａのインク層１２に残留しているインク１２ａの一部（第２の文字パターンに対応する部分）が、内側インクリボン１３Ｂの支持層１１上に転写される。
【００８０】
図９は、第２の文字パターン２６の配置の一例を示すイメージ図である。
【００８１】
既述のように、第２の文字パターン２６は、複数の文字パターンが並んだ文字列の文字列パターンである。この第２の文字パターンに対応する第２の文字データは、例えば、実在しない、住所、氏名、発行日や有効期限等の年月日、ＩＤ番号、又は電話番号等のデータである。
【００８２】
また、第２の文字パターン２６は、例えば、第１の文字パターンを構成する文字パターンの数と同数の文字パターンが並んだ文字列パターンである。なお、第１の文字パターンを構成する文字パターンの数と、第２の文字パターンを構成する文字パターンの数とは、異なっていてもよい。
【００８３】
ここで、既述のように、第２加熱体２２は、インクリボン１３Ａのインク層１２のインクが第１の文字パターンと少なくとも一部が異なる文字のパターンで構成された第２の文字パターンで当該インクリボンの内側に位置するインクリボン１３Ｂの支持層１１に転写されるよう、インクリボン１３Ａを加熱する。
【００８４】
そして、インク転写済みのインクリボン１３Ａの支持層１１の領域において、第１の文字パターンがインク転写済みの第１の領域の少なくとも一部と、第２の文字パターンが転写される第２の領域の少なくとも一部とが重なるように、第２加熱体２２を制御する。
【００８５】
図１０は、第２加熱体２２による転写が行われた後の外側インクリボン１３Ａをインク層１２側から見た場合を示す図である。
【００８６】
図１０に示すように、外側インクリボン１３Ａのインク層１２には、第１転写装置１７におけるＩＤ情報の印字パターンに基づく第１の文字パターンが転写されたインク抜け部分（第１の領域）１２ｂ（１）と、第２加熱体２２の各発熱区画の加熱パターンに基づく第２の文字パターン２６が転写されたインク抜け部分（第２の領域）１２ｂ（２）と、が形成される。
【００８７】
図１０に示すように、外側インクリボン１３Ａのインク層１２には、第１の文字パターンと第２の文字パターン２６とが混在している。すなわち、外側インクリボン１３Ａのインク層１２における、ＩＤ情報に対応する第１の文字パターンからなるインク抜け部分１２ｂの文字パターンに別の文字パターン（第２の文字パターン）が重なることとなる。
【００８８】
したがって、外側インクリボン１３Ａのインク層１２において、何れの文字パターンが被転写体１４に印字されたＩＤ情報に対応するかを特定することが困難になる。
【００８９】
このことにより、インク抜け部分１２ｂの文字パターンに基づいて被転写体１４に印字されたＩＤ情報が特定されるのをより確実に防ぐことができる。
【００９０】
以上のように本実施の形態によれば、熱転写システムは、インクリボンを送り出す送出部と、送出部の下流側に配置され、インクリボンの支持層側に設けられた第１加熱体を有し、インクリボンのインク層のインクを被転写体に対して文字のパターンで構成された第１の文字パターンで転写する第１転写装置と、第１転写装置の下流側に配置され、インク転写済のインクリボンを巻き取る巻取部と、巻取部の近傍に設けられ、巻取部に巻き取られたインク転写済のインクリボンに支持層側から当接してインクリボンを支持層側から加熱する第２加熱体と、少なくとも第２加熱体を制御する制御部と、を備えている。
【００９１】
さらに、第２加熱体は、インクリボンのインク層のインクが第１の文字パターンと少なくとも一部が異なる文字のパターンで構成された第２の文字パターンで当該インクリボンの内側に位置するインクリボンの支持層に転写されるよう、インクリボンを加熱するものである。
【００９２】
さらに、制御部は、インク転写済みのインクリボンの支持層の領域において、第１の文字パターンがインク転写済みの第１の領域の少なくとも一部と、第２の文字パターンが転写される第２の領域の少なくとも一部とが重なるように、第２加熱体を制御する、を備えている。
【００９３】
したがって、インク転写済みのインクリボンの支持層の領域において、第１の文字パターンがインク転写済みの第１の領域の少なくとも一部と、第２の文字パターンが転写される第２の領域の少なくとも一部とが重なるように制御される。
【００９４】
これにより、住所、氏名等のＩＤ情報に似たような内容の文字パターンが、インク転写済みのインクリボンに複数存在することになる。
【００９５】
このことにより、インクリボンのインク抜け部分から、印字されたＩＤ情報が特定されるのをより確実に防ぐことができる。
【００９６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９７】
１０    熱転写システム
１１    支持層
１２    インク層
１２ａ  インク
１２ｂ  インク抜け部分
１２ｃ  第２加熱体により支持層上に転写されたインク
１３    インクリボン
１３Ａ  外側インクリボン
１３Ｂ  内側インクリボン
１４    被転写体
１５    ガイドロール
１６    送出部
１７    第１転写装置
１８    第１加熱体
１９    プラテンロール
２０    巻取装置
２１    巻取部
２２    第２加熱体
２３  基板
２４  発熱体
２５  駆動部
２６    第２の文字パターン
ＣＯＮ  制御部
【図１】
2017061110.tif 000003
【図２】
2017061110.tif 000004
【図３】
2017061110.tif 000005
【図４】
2017061110.tif 000006
【図５】
2017061110.tif 000007
【図６】
2017061110.tif 000008
【図７】
2017061110.tif 000009
【図８】
2017061110.tif 000010
【図９】
2017061110.tif 000011
【図１０】
2017061110.tif 000012